(57)【要約】      （修正有）【課題】実験用のプラスチック材製の蓋付き容器であって、下部に容器ベースを有する管状容器と、その上部に容器開口部および当該容器開口部の下部で内壁に封止領域と、蓋ベースおよび当該蓋ベースの内部から突出している栓を有する蓋を備え、当該蓋は、容器開口部から封止領域の密封位置に挿入され、回動可能に一体的に前記蓋と容器の２つの容器部分を接続するストラップヒンジと、前記蓋が密封位置に挿入されない少なくとも１箇所の保持位置で蓋を保持する保持デバイス。【解決手段】当該保持デバイスは、少なくとも２つの係合手段を有し、一方の係合手段は容器２または蓋１１に固定接続され、蓋１１の回転軌道によって定められる回転平面に垂直に配置され、他方の係合手段は、前記ストラップヒンジ１４．１、１４．２の長手側に設定され、当該係合手段は、弾性的な補償運動を伴って保持位置まで蓋１１を回転させることによって互いに係合可能する。【選択図】図１
2012140184.tif 000002
【特許請求の範囲】
【請求項１】
実験用のプラスチック材製の蓋付き容器であって、
下部に容器ベース（５）を有する管状容器（２）と、その上部に容器開口部（６）および当該容器開口部（６）の下部で内壁に封止領域（８）と、
蓋ベース（１２）および当該蓋ベースの内部から突出している栓（１３）を有する蓋（１１）を備え、当該蓋は、容器開口部（６）から封止領域（８）の密封位置に挿入され、
回動可能に一体的に前記蓋（１１）と容器（２）の２つの容器部分を接続するストラップヒンジ（１４）と、
前記蓋（１１）が密封位置に挿入されない少なくとも１箇所の保持位置で蓋（１１）を保持する保持デバイスであり、当該保持デバイスは、少なくとも２つの係合手段（１６．１、１６．２、１５．１、１５．２）を有し、
一方の係合手段（１６．１、１６．２）は容器（２）または蓋に固定接続され、蓋（１１）の回転軌道によって定められる回転平面に垂直に配置され、
他方の係合手段（１５．１、１５．２）は、前記ストラップヒンジの長手側に設定され、
前記係合手段（１６．１、１６．２、１５．１、１５．２）は、弾性的な補償運動を伴って保持位置まで蓋（１１）を回転させることによって互いに係合可能にする。
【請求項２】
請求項１に記載の蓋付き容器において、
支持体（１７）は、一方の容器部分からその側面上に突出して配置された軸係合手段（１６．１、１６．２；１６．３）を備え、
前記軸係合手段に係止する少なくとも１つの軸係合手段（１５．１、１５．２；３０）は、支持体に隣接するストラップヒンジ（１４．１、１４．２）の長手側に形成されている。
【請求項３】
請求項２に記載の蓋付き容器において、
前記支持体（１７）は、前記蓋（１１）の回転平面に平行に伸びる側面（１７．３、１７．４）を有するディスク形であり、その両面は、前記軸係合手段（１６．１、１６．２）を構成する。
【請求項４】
請求項２または３に記載の蓋付き容器において、
前記支持体の軸係合手段（１６．１、１６．２）は、蓋（１１）の回転平面に垂直に配置された少なくとも１個のラッチ受および／または１個のラッチ突起から構成される。
【請求項５】
請求項４に記載の蓋付き容器において、
前記軸係合手段（１５．１、１５．２）は、ストラップヒンジ（１４．１、１４．２）の少なくとも一方の長手側面に少なくとも１個の肩部から構成される。
【請求項６】
請求項４に記載の蓋付き容器において、
前記軸係合手段は、長手側面にストラップヒンジの少なくとも１個のエッジと支持体の少なくとも１個のラッチ突起から構成される。
【請求項７】
実験用のプラスチック材製の蓋付き容器であって、
下部に容器ベース（５）を有する管状容器（２）と、その上部に容器開口部（６）および当該容器開口部（６）の下部で内壁上の封止領域（８）と、
蓋ベース（１２）および当該蓋ベースの内部から突出している栓（１３）を有する蓋（１１）を備え、当該蓋は、容器開口部（６）から封止領域（８）の密封位置に挿入され、
回動可能に一体的に前記蓋（１１）と容器（２）の２つの容器部分を接続するストラップヒンジ（１４）と、
前記蓋（１１）が密封位置に挿入されない少なくとも１箇所の保持位置で蓋（１１）を保持する保持デバイスであり、当該保持デバイスは、少なくとも２つの係合手段（１６．１、１６．２、１５．１、１５．２）を有し、
一方の係合手段（１６．１、１６．２）は容器（２）に固定接続され、他方の係合手段（１５．１、１５．２）は蓋に固定接続され、
放射係合手段である当該係合手段（１６．１、１６．２、１５．１、１５．２）は、前記蓋の回転軌道に対して放射状に配置され、
一方の容器部分の側面から突出しているディスク形の支持体（１７）およびそのエッジ（１７．５）は、少なくとも一個の放射状係合手段（１６．３）を有し、
放射状係合手段（１５．１、１５．２；３０）は、他方の容器部分の側面から突出している柔軟性および弾力性を有する突起として構成されて係合し、前記係合手段（１６．１、１６．２、１５．１、１５．２）は、弾性的な補償運動を伴って保持位置まで蓋（１１）を回転させることによって互いに係合可能する。
【請求項８】
請求項８と請求項１から７の１つに記載された蓋付き容器。
【請求項９】
請求項７または８に記載された蓋付き容器において、
前記支持体（１７）の放射状係合手段（１６．３）は、支持体（１７）に入り込んだ蓋の回転軌道に対して放射状の支持体（１７）のエッジ（１７．５）から伸びるラッチ受けである。
【請求項１０】
請求項７から９の１つに記載の蓋付き容器において、
前記支持体（１７）のエッジ（１７．５）は、面取りされている。
【請求項１１】
請求項９に記載の蓋付き容器において、
複数個のラッチ受は、回転軌道の方向に前記エッジ（１７．５）に連続配置されている。
【請求項１２】
請求項７から１１の１つに記載の蓋付き容器において、
前記支持体（１７）のエッジ（１７．５）は、面取りされている。
【請求項１３】
実験用のプラスチック材製の蓋付き容器であって、
下部に容器ベース（５）を有する管状容器（２）と、その上部に容器開口部（６）および当該容器開口部（６）の下部で内壁上の封止領域（８）と、
蓋ベース（１２）および当該蓋ベースの内部から突出している栓（１３）を有する蓋（１１）を備え、当該蓋は、容器開口部（６）から封止領域（８）の密封位置に挿入され、
回動可能に一体的に前記蓋（１１）と容器（２）の２つの容器部分を接続するストラップヒンジ（１４）と、
前記蓋（１１）が密封位置に挿入されない複数の保持位置で蓋（１１）を保持する保持デバイスであり、
前記保持デバイスは、一方の容器部分（２）に固定接続される一方の係合手段（１６．１、１６．２）と他方の容器部分（１１）またはストラップヒンジに固定接続される他方の係合手段（１５．１、１５．２）の複数個の係合手段（１６．１、１６．２、１５．１、１５．２）を有し、
前記蓋の回転方向に連続して配置された一連の１つの係合手段に固定接続される少なくとも一方の容器部分および他方の前記係合手段（１６．１、１６．２、１５．１、１５．２）は、弾性的な補償運動を伴って蓋（１１）が回転することによっていくつかの選択可能な保持位置の１箇所と係合を可能にする。
【請求項１４】
請求項１３と請求項１から１２の１つに記載の蓋付き容器。
【請求項１５】
実験用のプラスチック材製の蓋付き容器であって、
下部に容器ベース（５）を有する管状容器（２）と、その上部に容器開口部（６）および当該容器開口部（６）の下部で内壁上の封止領域（８）と、
蓋ベース（１２）および当該蓋ベースの内部から突出している栓（１３）を有する蓋（１１）を備え、当該蓋は、容器開口部（６）から封止領域（８）の密封位置に挿入され、
回動可能に一体的に前記蓋（１１）と容器（２）の２つの容器部分を接続するストラップヒンジ（１４）と、
前記蓋（１１）が密封位置に挿入されない少なくとも１箇所の保持位置で蓋（１１）を保持する保持デバイスであり、
少なくとも２個の係合手段（１６．１、１６．２、１５．１、１５．２）を有し、
一方の係合手段（１６．１、１６．２）は、前記容器（２）に固定接続されており、
他方の係合手段（１５．１、１５．２）は、前記蓋（１１）に固定接続されており、
前記保持位置に入り込んだ蓋を回転させることにより互いに積極的に係合をもたらす前記係合手段（１６．１、１６．２、１５．１、１５．２）は、弾性的な補償運動を伴い、
前記蓋（１１）は、保持位置から外れる方向への回転が防止され、当該蓋は、弾性的な補償運動を伴わない。
【請求項１６】
請求項１５と請求項１から１４の１つに記載の蓋付き容器。
【請求項１７】
請求項１から１６の１つに記載の蓋付き容器において、
前記保持位置にある蓋（１１）を回転させるときに弾性的な偏位移動をするため、前記ストラップヒンジ（１４）および／または係合手段（１６．１、１６．２、１５．１、１５．２；１６．３、３０；１４．１、１４．２、３１）は、少なくとも部分的に弾力性を有する。
【請求項１８】
請求項１から１７の１つに記載の蓋付き容器において、
いずれの場合においても、前記ストラップヒンジ（１４）は、蓋（１１）を容器（２）に接続する２本の平行したヒンジストラップ（１４．１、１４．２）を備える。
【請求項１９】
請求項１および１８に記載の蓋付き容器において、
前記ヒンジストラップ（１４．１、１４．２）は、幅広い側面の内側エッジに軸係合手段を備える。
【請求項２０】
請求項８および１８に記載の蓋付き容器において、
柔軟性および弾力性のある前記突起は、２本のヒンジストラップ（１４．１、１４．２）の間に配列される。
【請求項２１】
請求項１から２０の１つに記載の蓋付き容器において、
前記蓋は、少なくとも１つのポリオレフィンにより作製されている。
【請求項２２】
請求項１から２１の１つに記載の蓋付き容器において、
前記蓋は、射出成形されている。
【発明の詳細な説明】
【技術分野】
【０００１】
本発明は、本発明は実験用のプラスチック製の蓋付きの容器に関する。
【背景技術】
【０００２】
上述したタイプの蓋付き容器は、一般的に１ミリリットルまたは数ミリリットルまたは１ミリリットル以下の容量を有する。
【０００３】
実験用のプラスチック製の周知の蓋付きの容器は、下部の管状容器は、容器ベースを有し、その内壁に封止領域を有する上部に容器開口および下方に容器開口を有する。蓋は、蓋ベースと、容器開口から封止領域の封止される位置に挿入される蓋ベースの内側から突出している栓を備える。蓋は、容器内で栓の締め付け力によって封止保持される。容器内に満たされたサンプル液の存在するアプリケーションは、加熱され、増加した蒸気圧を含む。例えば、ポリメラーゼ連鎖反応（ＰＣＲ）法において、サンプルは、蓋付き容器内で例えば９０℃以上に加熱される。栓の締付力のレベルは、十分な蒸気気密が保証され、増加した蒸気圧によって蓋が解除されないようにすべきである。栓を有する蓋を容器に圧入するために、大きな力に増大する必要がある。蓋を開けるために、ユーザは、蓋ベースの突出している下端を反対方向に確実に押圧しなければならない。
【０００４】
ＥＰ０８４１０９３Ａ２およびＵＳ ５、８６３、７９１に開示されている上述したタイプの蓋付き容器は、容器および蓋が、ストラップヒンジを介して回動可能に一体的に接続されている。蓋は、側面に突出している蓋フランジから下向きに突出しているロックフックを有し、容器開口部に隣接した容器は、閉位置で係止したロックフックの後方にロックカムを有する。蓋を閉じたとき、強固なロックフックは、蓋フランジの弾性変形によってロックカムの後方にはまり、蓋は、閉位置に固定される。蓋を開けるために蓋フランジが上向きに湾曲し、ロックフックがロックカムから解除されるように、ユーザは蓋フランジを押し上げなければならない。この目的で、ロックフックとロックカムは、わずかな重なりを有するだけである。
【０００５】
蓋付き容器は、略１８０°まで容器開口から開いて回動された初期位置と閉位置の間の中間位置の容器開口部上で蓋を安定させる支持デバイスを有する。
【０００６】
蓋付き容器の一実施形態において、ヒンジストラップの間に２本の平行したフォーク刃先が容器フランジから伸び、それの間にヒンジストラップに平行する間隙が形成される。フォーク刃先は、ラッチエッジを有する。ラッチラグは、間隙によって正しい位置に位置合わせされ、その先端が蓋フランジに接続され、そのベースは両側にラッチ突起を有する。ラッチラグは、蓋フランジに垂直なラッチ突起によって正しい位置に位置合わせされる。蓋が容器開口部の方向に曲げ下ろされた場合、ラッチラグは、フォーク刃先の間のギャップに入り込み、当該フォーク刃先が僅かに離れたラッチ突起に圧入する。ラッチ突起が、フォーク刃先のラッチエッジの下を通過するとき、当該フォーク刃先は、僅かに一緒にはまり込む。その後に蓋が解除される場合、ラッチ突起は、ラッチエッジによって制止され、蓋が枢支された位置に達して安定する。
【０００７】
更なる態様において、支持デバイスは、前記容器フランジの平面から上向きに突出するフックとして形成されたラッチラグを備える。前記ラッチラグは、２本の平行なヒンジストラップの曲げやすい中央位置の間に配置される。蓋フランジは、その回転平面に垂直で正しい位置に配置されるヒンジストラップの間にラッチエッジを有する。蓋を閉方向に折り曲げるとき、ラッチラグおよび／またはヒンジストラップの柔軟性は、ラッチエッジが当該ラッチラグの終端を乗り越えられるようにする。中央部分の反発力によって蓋が開放される場合、容器が開放されるこの安定した回転位置を維持するように、蓋はラッチラグに抗して押圧される。容器を閉じるために、蓋は、再び閉方向に回転され、ロックカムの後方でロックフックにはめ込まれる。
【０００８】
更なる態様において、２本の平行したヒンジストラップは、容器フランジと蓋フランジの間にも配置され、当該ヒンジストラップの柔軟性が枢軸の狭い規定された領域に実質的に集中する。容器フランジおよび蓋フランジは更なるヒンジストラップによって接続され、それはヒンジストラップの間に配置される。更なるヒンジストラップは、一端で容器フランジと接合し、その他端で蓋フランジとの接合を有する。ヒンジストラップの２つの接合は、弾性によって引っ張ることが可能なように他の部分に比して薄い構成である。蓋付き容器を射出成形した後に、蓋は、容器開口部から略１８０°後方に曲げられている。この初期位置において、更なるヒンジストラップは、引っ張られていない。蓋が現在枢軸周りに折り曲げられる場合、接合間の距離は増加し、更なるヒンジストラップは、回転軸に配置されるまで、僅かな弾性をもって引っ張られ、それによって蓋が容器に対して回転可能になる。その後、蓋が閉方向に回転される場合、更なるヒンジストラップは、初期長さに達するまで、再び僅かに縮む。これは、容器開口部に対して蓋が略９０°の位置にある場合である。この安定した枢支された位置において、蓋は、更なるヒンジストラップによって容器に対して安定する。蓋が更に折り曲げられる場合、更なるヒンジストラップは外側へと曲げられる。蓋が閉じるときに、ラッチカムと協働するラッチフックは、蓋が開くのを防止する。ロックを解除した後に、蓋は、その安定した枢支された位置または初期位置に再び戻ることが可能である。
【０００９】
ＵＳ５、３５８、１３０には、投与する間、蓋を開いたまま保持するデバイスを備えた一体成形容器栓が開示されている。当該栓は、容器と蓋に接続するための手段を有するキャップを備える。蓋は、キャップへの継手を介して接続される支持アームに接続されている。蓋が閉じるときに、支持アームは、キャップから上向き突出する２個の突起の間に伸びる。容器が傾けられるとき、突起と係合して開位置で蓋を保持するように、支持アームの側面から必要な大きさに突出している細長いリブがある。蓋が閉位置に持ち込まれる場合、リブは、突起の間を通過するように変形する。突起は、蓋が閉位置にあるとき、接触のないリブを受けるレシーバを有する。
【００１０】
ＥＰ１７３１４４３Ａ１、ＵＳ ３，９３４，７２２、ＵＳ ５，２７０，０１１、ＵＳ ５，６７４，４５６、ＵＳ６，３９８，０６７ Ｂ１およびＷＯ ９５／１３１３７ Ａ１による蓋付き容器において、蓋は、ヒンジストラップを介して容器に一体的に接続されている。
【００１１】
【特許文献１】欧州特許公報ＥＰ ０ ８４１ ０９３ Ａ２および米国特許出願公開公報ＵＳ ５、８６３、７９１
【特許文献２】米国特許出願公開公報ＵＳ ５、３５８、１３０
【特許文献３】欧州特許出願公開公報ＥＰ １ ７３１ ４４３ Ａ１
【特許文献４】米国特許出願公開公報ＵＳ ３，９３４，７２２
【特許文献５】米国特許出願公開公報ＵＳ ５，２７０，０１１
【特許文献６】米国特許出願公開公報ＵＳ ５，６７４，４５６
【特許文献７】米国特許出願公開公報ＵＳ６，３９８，０６７ Ｂ１
【特許文献８】国際公開第ＷＯ ９５／１３１３７ Ａ１
【特許文献９】米国特許出願公開公報ＵＳ６，３９８，０６７ Ｂ１
【発明の開示】
【発明が解決しようとする課題】
【００１２】
しかしながら、上記特許文献１の場合、例えば内圧が容器内で上昇したとき、ロックフックは、ロックカムから不注意にも解除されることがある。蓋が開けられるとき、ロックフックは、ロックカムから急に解除されることがあり、その結果、液体サンプルが容器から噴き出す。
【００１３】
また、精巧なフォーク刃先を射出成形する間、それらのサイズにより換気するための流路端を形成することが困難であるといった欠点である。流路の終端のエアーは、不完全なフォーク刃先の形成を招く。しかしながら、完全なフォーク刃先の形成は、上記の枢支された位置のために必要である。
【００１４】
また、ヒンジストラップの柔軟性のため、中間位置の範囲にあることが困難であるという欠点である。蓋を閉方向に回転させたとき、ユーザが蓋フランジの外縁に対して上側から押圧する場合、ヒンジストラップの柔軟性のため、ユーザは蓋を下向きに移動させる。その結果、ラッチエッジは、下位置でラッチラグと接触し、大きい力を消費することによってラッチラグの終端上を押圧されることが可能になるだけである。
【００１５】
また、蓋の開位置の安定性は、ストラップ部分の反発力に依存するといった欠点が両方の実施態様にある。例えば、蓋の開閉の繰り返しまたは容器の加熱および／または冷却により、反発力が低下される場合、蓋は所定の中間位置から不注意に外側に移動したり、完全または部分的に容器開口部を閉じたりすることがある。これは、蓋付き容器の充填を損ない空にする。
【００１６】
さらに、この発明の封止カラーを容器開口部にもたらすときに、枢軸の狭く規定された領域のため、ヒンジストラップがいずれにも補償運動しないことが、当該蓋付き容器を有する欠点である。その結果、蓋を閉じるのが困難である。しかしながら、ヒンジストラップの曲げやすい中央位置を有する例示的実施形態において、曲げやすい当該中央位置は、容器に封止カラーの同軸の挿入を単純化する補償運動を可能にする。
【００１７】
特許文献２の場合、容器栓において、開位置で蓋を保持するクランプは、不十分にされおよび／または開閉および／または加熱および／または冷却を繰り返すと、蓋は、確実に開放したままに保てない。
【００１８】
特許文献３から９の場合、これらの蓋付きの容器は、規定の回転位置に蓋を保つための支持デバイスを備えていない。
【００１９】
この事情に鑑みて、本発明は、少なくとも１カ所で蓋を確実に保持することが可能であり、当該蓋が容器を閉じない実験用のプラスチック製の蓋を提供すること目的とする。
【課題を解決するための手段】
【００２０】
この目的は、請求項１の特徴を有する蓋付き容器によって達成される。蓋付き容器の有利な実施態様は、下位の請求項に設けられている。
【００２１】
実験用のプラスチック製の蓋付き容器であって、
下部に容器ベースを有する管状容器と、その上部に容器開口部および当該容器開口部の下部で内壁に封止領域と、
蓋ベースおよび当該蓋ベースの内部から突出している栓を有する蓋を備え、当該蓋は、容器開口部から封止領域の密封位置に挿入され、
回動可能に一体的に前記蓋と容器の２つの容器部分を接続するストラップヒンジと、
前記蓋が密封位置に挿入されない少なくとも１箇所の保持位置で蓋を保持する保持デバイスであり、当該保持デバイスは、少なくとも２つの係合手段を有し、一方の係合手段は容器または蓋に固定接続され、蓋の回転軌道によって定められる回転平面に垂直に配置され、
他方の係合手段は、前記ストラップヒンジの長手側に設定され、当該係合手段は、弾性的な補償運動を伴って保持位置まで蓋を回転させることによって互いに係合可能にする。
【００２２】
本発明の蓋付き容器において、容器および蓋は、周知の方法のストラップヒンジを介して一緒に回動可能に接続される。ストラップヒンジは、１つ以上のヒンジストラップを備え、少なくとも部分的に曲げやすい。ストラップヒンジは、フィルムヒンジと類似しているが、その長手方向のより長い領域を通じて曲げやすくてもよい。補償運動ができるように、長手方向の少なくとも１つの領域において曲げやすい少なくとも１つのヒンジストラップを有するストラップヒンジは、円筒容器の容器開口部への栓の挿入を単純化する。
【００２３】
さらにまた、蓋付き容器は、蓋が容器を閉じない少なくとも１つの保持位置で容器に対して蓋を保持可能な保持デバイスを備える。保持位置において、蓋は、封止領域の密封位置に栓が挿入されない。保持位置で蓋を保持するために、容器または蓋は、軸係合手段に接続されている。軸係合手段は、蓋の回転軌道によって定義される回転平面に垂直で正しい位置に置かれる。他の係合手段は、ストラップヒンジの長手側に形成される。蓋を回転するとき、ストラップヒンジの長手側に形成される軸係合手段と係合手段が互いに接触する場合、補償運動は、互いに係合手段が通過移動し、保持位置での係合を可能にする。弾性的な補償運動は、例えば、軸係合手段の弾性変形および／またはストラップヒンジの横方向の偏位からなる。保持位置への蓋の回転は、蓋が回転する回転軌道とは無関係である。栓を容器に簡単に挿入するために、蓋の回転軌道は、柔軟性のあるストラップヒンジを介して容器に接続されるので変更可能であり、正確に規定された回転軸との接合を介していない。蓋の回転軌道は、特にユーザによる蓋への押圧力のレベル、方向および作用位置によって決定される。本発明の蓋付き容器において、これは、保持位置に蓋を到達させるのに力をかなり増加させても影響がない。
【００２４】
材料の節約のために、軸係合手段は、ストラップヒンジに形成されることに付加的な効果がある。蓋は、ストラップヒンジの反発力によって、保持位置に保持される。蓋が保持位置に回転する場合、ストラップヒンジは、弾性変形する。このように、ストラップヒンジの反発力は、互いに係合して保持位置で係合手段を保持し、蓋が不注意に回転して閉じるのを防止する。
【００２５】
本発明の蓋付き容器は、射出成形技術によってとりわけ有効になる。つまり、型にプラスチック材料を満たすとき、互いに係合をもたらす機能的な領域は、当該プラスチック材料を満たすべき最後となる流路端が存在しないので、その部分に集まるエアーは、型の換気によって除去することが可能になる。その結果、保持位置を維持するために重要な機能的な領域を、射出成形によってとりわけ容易かつ正確に作成することができる。
【００２６】
一実施態様によれば、支持体は、１つの容器部分からその側面上に突出して配置された軸係合手段を備え、当該軸係合手段に係合する少なくとも１つの軸係合手段は、支持体に隣接するストラップヒンジの長手側に形成されている。
【００２７】
更なる実施態様によれば、支持体は、蓋の回転平面に平行に伸びる側面を有するディスク形であり、その両面は、軸係合手段を構成する。好ましくは、支持体は、ヒンジストラップの間に当該支持体を受ける２本の平行なヒンジストラップを有するストラップヒンジと協働する。
【００２８】
更なる実施態様によれば、支持体上の軸係合手段は、少なくとも１つのラッチ受および／または蓋の回転平面に垂直で正しい位置に置かれるラッチ突起を備える。
【００２９】
更なる実施態様によれば、軸係合手段は、ストラップヒンジの少なくとも１つの長手側に少なくとも１つの肩部を備える。蓋を回転させるとき、肩部は、ラッチ受との係合および／または支持体のラッチ突起との係合をもたらすことができる。
【００３０】
更なる実施態様によれば、軸係合手段は、長手側に少なくとも１つのストラップヒンジの一端と支持体の少なくとも１つのラッチ突起を備える。支持体のラッチ突起は、長手側のストラップヒンジのエッジとの係合をもたらすことが可能である。
【００３１】
その目的は、請求項７の特徴を有する蓋付き容器によって、更に達成される。
【００３２】
実験用のプラスチック材製の蓋付き容器であって、
下部に容器ベースを有する管状容器と、その上部に容器開口部および当該容器開口部の下部で内壁上の封止領域と、
蓋ベースおよび当該蓋ベースの内部から突出している栓を有する蓋を備え、当該蓋は、容器開口部から封止領域の密封位置に挿入され、
回動可能に一体的に前記蓋と容器の２つの容器部分を接続するストラップヒンジと、
前記蓋が密封位置に挿入されない少なくとも１箇所の保持位置で蓋を保持する保持デバイスであり、当該保持デバイスは、少なくとも２つの係合手段を有し、
一方の係合手段は容器に固定接続され、他方の係合手段は蓋に固定接続され、
放射係合手段である当該係合手段は、前記蓋の回転軌道に対して放射状に配置され、
一方の容器部分の側面から突出しているディスク形の支持体およびそのエッジは、少なくとも一個の放射状係合手段を有し、
放射状係合手段は、他方の容器部分の側面から突出している柔軟性および弾力性を有する突起として構成されて係合し、前記係合手段は、弾性的な補償運動を伴って保持位置まで蓋を回転させることによって互いに係合可能する。
【００３３】
本発明の蓋付き容器において、容器および蓋は、周知の方法のストラップヒンジを介して一緒に回動可能に接続される。ストラップヒンジは、１つ以上のヒンジストラップを備え、少なくとも部分的に曲げやすい。ストラップヒンジは、フィルムヒンジと類似しているが、その長手方向のより長い領域を通じて曲げやすくしてもよい。少なくとも１つの領域で長手方向に曲げやすい少なくとも１つのヒンジストラップを有するストラップヒンジは、補償運動が可能なように、円筒形容器の容器開口部への栓の挿入を簡単にする。
【００３４】
さらにまた、蓋付き容器は、蓋が容器を閉じない少なくとも１つの保持位置で容器に応じて蓋を保持することが可能である保持デバイスを備える。当該保持位置において、蓋は、封止領域の密封位置に栓が挿入されない。保持位置で蓋を保持するために、蓋および容器は、放射状係合手段に固定接続されている。係合手段は、蓋の回転軌道に放射状に正確に位置合わせてされている。ディスク形の支持体は、一方の容器部分から突出し、そのエッジは、少なくとも一つの放射状係合手段を有する。他の容器部分の側面から突出している柔軟性および弾力性を有する突起とともに放射状係合手段は、係合をもたらす。蓋を回転するとき、支持体の放射状係合手段および柔軟性および弾力性のある突起が接触する場合、弾性的な補正運動は、互いに通過移動し、保持位置で互いに係合をもたらす係合手段と突起により可能にされる。弾性的な補償運動は、例えば、柔軟性および弾力性を有する突起による弾性変形および／または回転平面におけるストラップヒンジの偏位からなる。保持位置に蓋を回転させることは、ユーザによる作動とは無関係である。これは、突起および／またはストラップヒンジの柔軟性および反発力に基づく。このように、突起は、支持体のエッジに沿って案内される。その結果、蓋を閉じるために、ユーザが蓋に作用させる力のレベル、方向および作用位置に係わりなく、蓋の回転軌道は、その回転移動の最初の領域において決定される。本発明の蓋付き容器において、ユーザによる力の行使は、保持位置に蓋を到達させるのに力をかなり増加させても影響がない。
【００３５】
有利な実施態様によれば、請求項７による蓋付き容器は、請求項１から６の少なくとも１つの蓋付き容器の特徴を有する。
【００３６】
一実施態様によれば、蓋を閉める方向に回転するとき、突起が支持体のエッジで低摩擦を生じるように、支持体は面取りされている。
【００３７】
更なる実施態様によれば、複数のラッチ受が、蓋の回転軌道の方向に支持体のエッジに連続して配置される。これは、蓋が異なる選択可能な保持位置に係合することを可能にする。
【００３８】
この目的は、請求項１３の特徴を有する蓋付き容器によっても達成される。
【００３９】
実験用のプラスチック材製の蓋付き容器であって、
下部に容器ベースを有する管状容器と、その上部に容器開口部および当該容器開口部の下部で内壁上の封止領域と、
蓋ベースおよび当該蓋ベースの内部から突出している栓を有する蓋を備え、当該蓋は、容器開口部から封止領域の密封位置に挿入され、
回動可能に一体的に前記蓋と容器の２つの容器部分を接続するストラップヒンジと、
前記蓋が密封位置に挿入されない複数の保持位置で蓋を保持する保持デバイスであり、
前記保持デバイスは、一方の容器部分に固定接続される一方の係合手段と他方の容器部分またはストラップヒンジに固定接続される他方の係合手段の複数個の係合手段を有し、
前記蓋の回転方向に連続して配置された一連の１つの係合手段に固定接続される少なくとも一方の容器部分および他方の前記係合手段は、弾性的な補償運動を伴って蓋が回転することによっていくつかの選択可能な保持位置の１箇所と係合を可能にする。
【００４０】
本発明の蓋付き容器において、容器および蓋は、周知の方法のストラップヒンジを介して一緒に回動可能に接続される。ストラップヒンジは、１つ以上のヒンジストラップから成り、少なくとも部分的に曲げやすい。ストラップヒンジは、フィルムヒンジと類似しているが、その長手方向のより長い領域を通じて曲げやすくてもよい。長手方向において少なくとも１つの領域で曲げやすい少なくとも１つのヒンジストラップを有するストラップヒンジは、補償運動が可能なように、円筒形容器の容器開口部への栓の挿入を簡単にする。
【００４１】
さらに、蓋付き容器は、蓋が容器を閉じない複数の保持位置で容器に対して蓋を保持可能にする保持デバイスを備える。保持位置において、蓋は、封止領域の密封位置に栓が挿入されない。異なる保持位置に蓋を保持するために、少なくとも１つの容器部分は、蓋の回転方向に連続して配置される一連の１つの係合手段に固定接続している。少なくとも１つの更なる係合手段は、他の容器部分に接続している。蓋を回転するとき、一方の係合手段と他方の係合手段が互いに係合する場合、弾性的な補償運動は、互いに通過移動し、保持位置で互いに係合する係合手段により可能にされる。係合手段が互いに十分に係合し、所望の保持位置に蓋を保持するまで、ユーザは、蓋を閉じる方向に回転させることができる。このように、ユーザは、異なる選択可能な保持位置を得ることができる。それぞれの保持位置において、蓋は、互いに係合して係合手段を保持するストラップヒンジの反発力によって保持可能である。
【００４２】
有利な実施態様によれば、請求項１３の蓋付き容器は、請求項１から１２の少なくとも１つの特徴を備える。
【００４３】
さらにまた、その目的は、請求項１５の蓋付き容器によって達成される。
【００４４】
実験用のプラスチック材製の蓋付き容器であって、
下部に容器ベースを有する管状容器と、その上部に容器開口部および当該容器開口部の下部で内壁上の封止領域と、
蓋ベースおよび当該蓋ベースの内部から突出している栓を有する蓋を備え、当該蓋は、容器開口部から封止領域の密封位置に挿入され、
回動可能に一体的に前記蓋と容器の２つの容器部分を接続するストラップヒンジと、
前記蓋が密封位置に挿入されない少なくとも１箇所の保持位置で蓋を保持する保持デバイスであり、
少なくとも２個の係合手段を有し、
一方の係合手段は、前記容器に固定接続されており、
他方の係合手段は、前記蓋に固定接続されており、
前記保持位置に入り込んだ蓋を回転させることにより互いに積極的に係合をもたらす前記係合手段は、弾性的な補償運動を伴い、
前記蓋は、保持位置から外れる方向への回転が防止され、当該蓋は、弾性的な補償運動を伴わない。
【００４５】
本発明の蓋付き容器において、容器および蓋は、周知の方法のストラップヒンジを介して一緒に回動可能に接続される。ストラップヒンジは、少なくとも部分的に曲げやすい１つ以上のヒンジストラップを備えることができる。ストラップヒンジは、フィルムヒンジと類似しているが、その長手方向により長い領域を通じて曲げやすくしてもよい。補償運動が可能なように、長手方向の少なくとも１つの領域に曲げやすい少なくとも１つのヒンジストラップを有するストラップヒンジは、円筒容器の容器開口部への栓の挿入を単純化する。
【００４６】
さらに、蓋付き容器は、蓋が容器を閉じない保持位置で容器に対して蓋を保持可能にする保持デバイスを備える。したがって、その保持位置において、蓋は、封止領域の密封位置に栓が挿入されない。蓋が保持位置にあるとき、互い積極的に係合する係合手段を備えるので、保持デバイスは、保持位置で蓋を確実に保持する。
【００４７】
この積極的な係合は、すなわち、閉方向および開方向の両回転方向に蓋を回転させるのを防止する。その結果、本発明の蓋付き容器は、停止位置で蓋の保持を必要とする永続的な反発力を有するストラップヒンジに依存しない。本発明の蓋付き容器において、蓋を回転させるときに互いに積極的な係合を係合手段にもたらすために、わずかな弾性的な補償運動のみが必要とされる。この弾性的な補償運動の間、係合手段は、互いに積極的な係合をもたらすことが可能な初期位置に回転させるために、互いから僅かに離間移動する。この初期位置において、係合手段は、それらの反発力のため、それらのおおよそ元の形状になり、積極的な係合が生じる。積極的な係合によって、蓋は、このように保持位置において確実に保持される。上述した従来技術とは対照的に、これは高い反発力に依存しない。必要な反発力は、すなわち蓋全体を停止するのに固定する必要はなく、その停止から離れる自由回転を防止する必要がない。蓋を回転させるときに、補償運動は、接触をもたらす係合手段の外形によって制御することができる。
【００４８】
保持位置から単に回転するだけで蓋を解除することはできない。したがって、その代わりに弾性的な補正運動が必要とされる。特定の最小限の力が蓋に作用するとき、蓋が保持位置から離れるように、係合をもたらす係合手段の外形を設計することができる。その結果、保持位置から不注意に逸脱することが回避される。
【００４９】
有利な実施態様において、請求項１５の蓋付き容器は、請求項１から１４の少なくとも１つの容器の特徴を備える。
【００５０】
容器開口部が、投与先端（例えばピペット先端部材）を挿入するために空いているよう、保持位置が選択可能な本発明の全ての蓋付き容器に適用される。このように、蓋付き容器は、充填排出プロセスを単純化し、実験室の作業手順を改善するのに貢献する。蓋付き容器は、特に、液体を取り扱う計量工程または作業工程において自動充填排出するのに適している。さらに、保持位置において、蓋が容器開口部と通じて平坦な角度に蓋ベースに位置合わせされたとき、蓋付き容器は、開状態でコンパクトに格納することができる。
【００５１】
容器に対して任意の位置に蓋を保持し、蓋の閉位置にないように保持位置を選択することができる。好ましくは、保持位置において、蓋は閉位置から略４５〜１３５°の角度にある。保持位置において、蓋が閉位置から略８０〜１１０°の角度であることが更に好ましい。保持位置で、蓋が閉位置から略９０〜１００°の角度であることがより一層に好ましい。好ましくは、蓋は、閉位置から略９５°の角度であり、特により小さい容器に取り付けられる（例えば２．０ｍｌ以下）。より大きな容器（例えば、２．０ｍｌ以上）には９０°の角度が好ましい。
【００５２】
以下の実施態様は、上記のすべての発明にあてはまる：
原則として、ストラップヒンジおよび／または係合手段は、容器および／または蓋の基本的な材料から成ることも可能である。弾性的な補償運動を確実にするように、ストラップヒンジおよび／または係合手段の設計は、反発力によって影響される。さらに、ストラップヒンジおよび／または係合手段用に特定の材料を使用することが可能であり、それは充分な弾性のある補償運動を提供する。
【００５３】
好ましい実施形態によれば、ストラップヒンジは、いずれの場合においても、蓋が容器に接続する２本の平行したヒンジストラップを備えている。２本のヒンジストラップは、少なくとも一部分が曲げやすくなっている。ヒンジストラップが一部分だけ曲げやすい場合、曲げやすい当該部分は、ヒンジストラップの長手方向に同じ距離以上に伸びる。複数本の平行したヒンジストラップは、回転する間に回転平面内の単一のヒンジストラップより良好に蓋を案内する。ヒンジストラップは、特に、容器に対する蓋のねじれを防止することができる。
【００５４】
更なる実施態様によれば、支持体は、蓋の回転平面と平行して伸びる側面を有するディスク形であり、両側面に放射状係合手段を備えている。好適な実施の形態によれば、放射状係合手段は、蓋の回転軌道に放射状に開放し、蓋の回転平面に垂直なラッチ受を備える。支持体を有する蓋付き容器のこの実施態様は、スライドのない射出成形ツールを使用して蓋付き容器の射出成形を促進し、それは蓋付き容器を型抜きするための単一軸に沿って分離される。
【００５５】
更なる実施態様によれば、支持体のエッジは、面取りされている。支持体の面取りは、ユーザの手袋への損傷を防止する。この目的で、係合手段と隣接する構造物の間の面取りされた移行も有効である。支持体の隣接領域からラッチ受の面取りされた移行および／または面取りされたラッチ突起および／または面取りされたラッチエッジにも有効である。
【００５６】
さまざまな保持位置は、要求に応じて保持位置に多少大きく開けて蓋を固定することができる。
【００５７】
更なる実施態様によれば、容器開口部に隣接した容器は、栓用の容器の上部エッジおよびそれより下で封止領域の方に広がっている挿入領域を有する。その結果、蓋付き容器の閉鎖は、単純化される。
【００５８】
更なる実施態様によれば、栓は中空円筒状である。その結果、栓はとりわけ曲げやすく、蓋付き容器の開閉動作は、更に単純化される。
【００５９】
更なる実施態様によれば、栓は外周に周縁密封ビードを備えている。その結果、蓋付き容器の蒸気緊張は改善される。
【００６０】
更なる実施態様によれば、蓋付き容器は、射出成形によって作製することができる。
【００６１】
本発明の蓋付き容器は、１つ以上のプラスチック材から作製される。一実施態様によれば、蓋付き容器は、全体として弾力のあるプラスチック材から作製される。
【００６２】
更なる実施態様によれば、蓋付き容器は、１つ以上のポリオレフィンから作製される。好ましくは、蓋付き容器は、ポリプロピレンおよび／またはポリエチレンから成る。ＵＳ ２００３／０１０２３２３ Ａ１に開示されているように、より堅くおよびより曲げやすい部分から成る異なるプラスチック材でできている栓を有する蓋付き容器を製造することも可能であり、これを参照して本発明に取り入れられる。蓋付き容器は、特にマルチコンポーネント射出成形処理によって製造することができる。
【００６３】
本発明は、例示的実施形態の図面に基づいて更に詳細に以下に記載されている。
【図面の簡単な説明】
【００６４】
【図１】本発明における蓋付き容器の閉状態を示す側面である。
【図２】閉じられた蓋付き容器を示す縦断面図である。
【図３】図３（ａ）は蓋を閉じた状態の蓋付き容器の斜視図、図３（ｂ）は図３（ａ）のｂ部分の詳細拡大図である。
【図４】蓋を閉じた状態の蓋付き容器の蓋ラッチを示す部分拡大縦断面図である。
【図５】蓋ラッチが閉じられた状態を示す斜め下から見た部分斜視図である。
【図６】図６（ａ）は蓋を開けた状態の蓋付き容器を示す側面図、図６（ｂ）はその平面図、図６（ｃ）は図６の部分（ｂ）の詳細拡大図である。
【図７】図７（ａ）は蓋を開けた状態を示す斜視図、図７（ｂ）は図７（ａ）の部分ｂの拡大詳細図である。
【図８】図８（ａ）は中間位置でロックされた蓋を有する蓋付き容器を示す斜視図、図８（ｂ）は図８（ａ）の部分ｂの拡大詳細図である。
【図９】図９（ａ）は中間位置でロックされた蓋を有する蓋付き容器を示す側面図、図９（ｂ）は図９（ａ）の部分ｂの拡大詳細図である。
【図１０】ラッチ係合プロセスの開始時の蓋の係合動作を示す拡大部分縦断面図である。
【図１１】ラッチ係合プロセスの完了前の蓋の係合動作を示す拡大部分縦断面図である。
【図１２】蓋の係合解除を示す斜め下から見た斜視図である。
【図１３】開状態にある蓋付き容器の放射状係合手段を備えた更なる保持デバイスを有するストラップヒンジを示す上斜め横から見た拡大斜視図である。
【図１４】閉状態にある蓋付き容器のストラップヒンジを示す斜視図である。
【図１５】蓋付き容器の軸係合手段を備えた更なる保持デバイスを有するストラップヒンジを示す上斜め横から見た拡大斜視図である。
【発明を実施するための形態】
【００６５】
以下の異なる実施形態の説明において、対応する部分は、同じ引用符号を付すに留める。
【００６６】
本出願において、「上面」および「下面」と同様に「上部」および「底部」の称呼は、垂直に位置合わせされた管状容器、その底部に容器ベース、その上部に蓋を配置し当該蓋が閉状態の蓋付き容器の配置に基づく。
【００６７】
図１から１２の蓋付き容器１．１は、断面円形状の管状容器２、その上部に中空の円筒部分３およびその下部に円錐部分４を備える。容器２の真下に椀形ベース５を有する。容器２の上部は、容器開口部６を有する。容器は、中空の円筒部分３のその下に下向き先細りのテーパ状の挿入領域７およびその下に円形の円筒状の封止領域８を有する。
【００６８】
容器２は、円形ディスク形に外向き放射状に突出する周縁フランジ９．１を上部エッジに有する。ラッチ突起９．２は、フランジ９．１に形成されている。
【００６９】
容器２の周縁フランジ９．１の下に一連の刃状の突起１０．１が任意に配置されており、当該突起１０．１は容器ホルダのエッジ上を支持する機能を有する。
【００７０】
蓋１１を有する蓋付き容器は、蓋ベース１２および当該蓋ベース１２から下向きに突出した栓１３を備える。栓１３は、中空の円筒状栓部１３．１を有する。栓部分１３．１の下端で、栓は外向きに突出している密封ビード１３．２を備えている。
【００７１】
蓋ベース１２は、栓１３の上側に全体的に突出している。蓋ベース１２は、略楕円外形１２．１を有する。楕円外形１２．１の主軸の方向の蓋ベース１２の範囲は、楕円外形１２．１の補助軸と平行して伸びる２つの略まっすぐな蓋エッジ１２．２、１２．３によって定義される（図６（ｂ））。
【００７２】
蓋ベース１２の外部エッジは、容器２の上部エッジにヒンジストラップ１４を介して接続される。ヒンジストラップ１４は、それよりも長いまっすぐな蓋エッジ１２．２に接続している。ストラップヒンジ１４は、互いに離間した２本の平行なヒンジストラップ１４．１，１４．２で構成されている（図８）。いずれの場合にもおいても、ヒンジストラップ１４．１，１４．２は、容器２の上部エッジに接続されたより堅い第１部分１４．１１、１４．２１と、当該第１部分に隣接して蓋ベースの外部エッジに接続されたより堅い第２部分１４．１３，１４．２３を有する。
【００７３】
好ましくは、ヒンジストラップ１４．１、１４．２は、射出成形によって一体的に容器部分に接続される。
【００７４】
ヒンジストラップ１４．１、１４．２は、可撓部分１４．１２、１４．２２とより堅い第２部分１４．１３、１４．２３の間の内側に、軸係合手段を形成する肩部１５．１、１５．２を有する（図６（ｂ）、図６（ｃ））。ヒンジストラップ１４．１、１４．２の間には、Ｖ字形状のラッチ受１６．１、１６．２が、容器の側面から突出している支持体１７の両側に配置されている。いずれの場合においても、Ｖ字形状のラッチ受１６．１、１６．２は、隣接するヒンジストラップ１４．１、１４．２側に上部開口を有する。これら開口は、蓋１１の回転軌道の半径方向に応じた受エッジ１６．１１、１６．１２、１６．２１、１６．２２によって定義される。ラッチ受は、更に軸係合手段を構成する。
【００７５】
支持体１７は、容器エッジから放射状に突出する支持部１７．１が備えられている。支持部１７．１は、上部に細いディスク形あるいはリブ形の支持部１７．２を担持する。ディスク形の支持部１７．２は、ラッチ受１６．１、１６．２を有する平坦な両外側面１７．３、１７．４を備えている（図６）。ディスク形の支持部１７．３の上部エッジ１７．５は、面取りされている。
【００７６】
フィルムヒンジ１４の反対側には、栓１３を通じて側面から突出している蓋ベース１２の一部に蓋突起１８が形成されている。蓋突起１８は、蓋ベース１２の外縁向きに先細りになっている。蓋突起１８は、それよりも短いまっすぐな蓋エッジ１２．３によって定義される。ラッチデバイス１９は、蓋突起１８の下に配置される。
【００７７】
ラッチデバイス１９は、可撓性フラップ２０を備え、その上部が蓋突起１８の下面に接続されている。フラップ２０は、２本の平行したフラップストリップ２０．１、２０．２から成り、それは互に離間されている。フラップストリップ２０．１、２０．２は、側面から外向きに突出するプレート形のボタン２１を介してその下端で一緒に接続されている。ボタン２１より上のフラップストリップ２０．１、２０．２に、凹部２２が設けられている。凹部２２は、ボタン２１の内側上部エッジにより底部に定められる。このエッジは、ラッチエッジ２３を形成する。ボタン２１は、その内側のラッチエッジの下側に放射状の構造物に面取りを有する。
【００７８】
図４および図５に示されるように、偏位のない状態で、ボタン２１は、それに適合および／またはわずかに大きな蓋突起１８の蓋凹部２２の下に配置される。その結果、１回の射出成形プロセスで完全に揃った蓋付き容器１．１の一体的な製造は、単一のツールによって可能にされる。
【００７９】
図４および図５によれば、閉状態の蓋１１は、容器２に係合される。この係合は、ラッチ突起９．２を形成する刃状の突起１０．１のない領域の下方で係合するラッチエッジ２３によって達成される。上部のラッチ突起９．２は、放射状構造物２７およびその下の面取り２８を有する。
【００８０】
射出成形することによって、蓋付き容器１．１は、図６および図７に示される開放配置で製造される。アンダーカットのない形状のため、蓋付き容器１．１は、スライドのない単一の射出成型によって製造することができる。それによってツール部分は、型抜き用の一軸に沿って移動させるだけである。
【００８１】
蓋１１は、図６および図７に示される開位置から閉じ方向に回転させることにより閉じることができる。この目的で、ユーザは、蓋ベース１２の外側の表面を押圧する。図８および図９に基づく中間位置において、蓋１１は、ラッチ受１６．１、１６．２の肩部１５．１、１５．２を無理矢理に押し込むことによって係止可能である。この場合、横外方および後方への肩部１５．１、１５．２の偏位は、肩部１５．１、１５．２およびストリップ領域１４．１２、１４．２２の柔軟性によって可能にされる。肩部１５．１、１５．２がラッチ受１６．１、１６．２の領域に入るとすぐに、肩部１５．１、１５．２およびストリップ領域１４．１２、１４．２２の反発力により、それらはラッチ受１６．１、１６．２に入る。この保持位置において、肩部は受エッジ１６．１１、１６．２１の後方を係合し、蓋１１は、ヒンジストラップ１４．１、１４．２の反発力によってこの保持位置において保持される。
【００８２】
完全に蓋を閉じるために、ユーザは、蓋ベース１２の外側の表面を再び押圧する。その結果、蓋１１は、保持位置から閉方向に回転する。このように、肩部１５．１、１５．２は、ラッチ受１６．１、１６．２の開口部から出て、受エッジ１６．１２、１６．２２と接触しない。あるいは、肩部１５．１、１５．２が閉方向に回動する領域およびラッチ受１６．１２、１６．２２が肩部１５．１、１５．２を積極的に受ける領域に位置するように、受エッジ１６．１、１６．２を配置することができる。この目的で、閉方向に蓋１１を回転させるために、それらの柔軟性を利用することにより、肩部１５．１、１５．２は、ラッチ受１６．１、１６．２から圧入しなければならない。
【００８３】
ユーザの手袋に損傷を与える鋭いエッジを何ら形成しないようにラッチ受１６．１、１６．２は、十分に面取りされる。
【００８４】
支持体１７が、ユーザの手袋に損傷を与えないように、ディスク形の支持部１７．２の上部エッジ１７．５は面取りされる。
【００８５】
蓋１１は、容器開口部６に栓１３を枢支する。それは拡張された挿入領域７によって容易にされる。それから、密封ビード１３．２は、封止領域８に嵌入される。したがって、図１０に示すように、その放射状構造物２５を有するボタン２１は、ラッチ突起９．２の放射状構造物２７と接触する。さらに、蓋１１を押圧して閉じるとき、フラップ２０は側面を外向きに偏位させる。フラップ２０の柔軟性およびボタン２１およびラッチ突起９．２の面取り２４、２８は、わずかな力の消耗を必要とする。ラッチエッジ２３がラッチ突起９．２に到達するとき、フラップ２０は、容器２の方へとはね返り、ボタン２１の内側縁部がラッチ突起９．２の下に係合する（図４、図５）。その結果、ラッチ係合が完了し、蓋１１は容器２に固定される。
【００８６】
蓋１１を開けるために、ユーザはボタン２１を下から押圧する。その結果、図１１および図１２に示すように、ボタンは横側に偏位する。ボタン２１を押圧することによって、蓋１１は、容器開口部６から栓１３と一緒に移動して開かれる。閉位置において、ラッチ受１６．１、１６．２に係合している肩部１５．１、１５．２によって、蓋１１は、確実に係止可能にされる（図８、図９）。
【００８７】
原則として、上記で開示される蓋付き容器１．１において、支持体１７を蓋１１に確りと接続し、それより堅い第１部分１４．１１、１４．２１とそれより可撓性のある弾性部分１４．１２、１４．２２の間に肩部１５．１、１５．２を配置することも可能である。
【００８８】
図１３によれば、ストラップヒンジ１４は、互いに離間して配置された２本の平行したヒンジストラップ１４．１、１４．２を備える。いずれの場合においても、ヒンジストラップ１４．１、１４．２は、より堅い第１部分１４．１１、１４．２１を有し、それに隣接するそれより可撓性のある弾性部分１４．１２、１４．２２、および、それに隣接するそれより堅い第２部分１４．１３を有する。いずれの場合にも、弾性部分１４．１２、１４．２２に、当該部分の特定の変形を抑制する厚みのある部材が設置されている。
【００８９】
ディスク形の支持体１７は、ヒンジストラップ１４．１、１４．２の間に配置され、その面取りされた外部エッジ１７．５は、一連のラッチ受１６．３を備える。ラッチ受１６．３は、縦断面図においても面取りされている。
【００９０】
弾性力のあるラッチ舌片３０は、一方のヒンジストラップ１４．１、１４．２の間に配置される。
【００９１】
ヒンジストラップより堅い第１部分１４．１１、１４．２１は、一方の容器部分と他方の容器のそれより堅い第２部分１４．１３、１４．２３の端部に接続されている。好ましくは、最初に述べた端部は、蓋１１と容器２の２番目に言及された端部に接続される。当該接続は、蓋ベース１２およびフランジ９．１のエッジ領域によって、このようにされるのが好ましい。
【００９２】
一方では、下部より堅い部分１４．１１、１４．２１およびラッチ舌片３０の端部は、容器２および蓋のより堅い第２部分１４．１３、１４．２３と支持体１７の端部に接続することもできる。
【００９３】
さらにまた、ラッチ舌片３０は、一方の容器部分および他方の容器部分の支持体１７に接続される。好ましくは、ラッチ舌片３０は、蓋ベース１２の端部とフランジ９．１の支持体１７に接続されている。
【００９４】
容器開口部６から１８０°まで開いた位置に回転させるとき、ラッチ舌片３０は、ラッチ受１６．３のうちの１個に選択的に係合する。このように、蓋１１は、異なる保持位置に確実に係止可能にされる。ラッチ受１６．３への軌道で、ラッチ舌片３０は、支持体１７の面取りされたエッジ１７．５に導かれる（図１３）。ラッチ受け１６．３から閉位置への蓋１１の軌道上で、ラッチ舌片３０は、面取りされたエッジ１７．３から解除される。
【００９５】
図１５の例示的実施形態において、ヒンジストラップ１４．１、１４．２は、図１３の例示的実施形態において同程度に記載されている。支持体１７は、面取りされた外部エッジ１７．３にディスク形によって接続される。支持体１７は、その２側面１７．３、１７．４にいずれも垂直な複数個の軸スタット３１を有する。スタッド３１は、軸係合手段を形成する。スタッド３１は、弾力のあるプラスチック材から成る。スタッド３１の代わりに、対称的あるいは非対称の形状の他の突起を備えることもできる。
【００９６】
図１４の例示的実施形態のヒンジストラップ１４．１、１４．２は、蓋１１および容器２に同様の方法で図１３の例示的実施形態のヒンジストラップに接続している。
【００９７】
容器２に対して蓋１１を回転させるとき、蓋は、ヒンジストラップによって許容される回転軌道に沿って移動される。そして、厚みのある部材１４．１４、１４．２４が回転軌道を制限することに関与している。軸スタッド３１は、回転軌道を広げた平面に垂直に配置されている。さらにまた、スタッド３１は、蓋の枢支軸と平行して配置される。
【００９８】
蓋を回転させるとき、スタッドは、ヒンジストラップ１４．１、１４．２の内部エッジを圧縮され、および／または、つがいヒンジストラップ１４．１、１４．２は、スタッド３１の軸方向の外向きに僅かに弾性的に偏位する。スタッド３１は、ヒンジストラップ１４．１、１４．２の他の側に係合し、それらの最初の形状に戻す。したがって、蓋１１を回転させるときに、スタッド３１は、ヒンジストラップ１４．１、１４．２の高い方の部分と下の幅広い側の両方で当該ヒンジストラップ１４．１、１４．２の内側エッジを圧迫するようになる。スタッド３１が、ヒンジストラップ１４．１、１４．２の底面と上面の内側を圧迫するとき、蓋１は、保持位置において固定される。一連のスタッド３１は、さまざまな保持位置で容器に対して蓋１１を固定することができる。
【図１】
2012140184.tif 000003
【図２】
2012140184.tif 000004
【図３】
2012140184.tif 000005
【図４】
2012140184.tif 000006
【図５】
2012140184.tif 000007
【図６】
2012140184.tif 000008
【図７】
2012140184.tif 000009
【図８】
2012140184.tif 000010
【図９】
2012140184.tif 000011
【図１０】
2012140184.tif 000012
【図１１】
2012140184.tif 000013
【図１２】
2012140184.tif 000014
【図１３】
2012140184.tif 000015
【図１４】
2012140184.tif 000016
【図１５】
2012140184.tif 000017
【外国語明細書】
2012140184000001.pdf
2012140184000002.pdf
2012140184000003.pdf
2012140184000004.pdf